(57)【要約】      （修正有）【課題】デザイン性を向上することができるとともに、シャワー装置の吐水部の外観をなす部材について良好な成形性及び高い外観品質を得ることができるシャワー装置を提供する。【解決手段】使用者の頭上から吐水を行うことが可能なシャワー装置であって、散水板２６０と、散水板の上方に配置され、複数の散水ノズル２４３を有する散水パッキン２４０と、散水パッキンの上側に設けられた第１のパッキン押え２３０と、散水パッキンの下側に設けられ、第１のパッキン押えとともに散水パッキンを挟み込む第２のパッキン押え２５０と、散水パッキン、第１のパッキン押え、及び第２のパッキン押えを含む層構造の少なくとも一側を覆う被覆部材３００と、を備え、被覆部材は、層構造の側方を全周的に覆う壁部３１０と、壁部に対して屈曲状に形成されたフランジ部３２０とで構成している。【選択図】図４
2020137805.tif 000002
【特許請求の範囲】
【請求項１】
使用者の頭上から吐水を行うことが可能なシャワー装置であって、
散水板と、
前記散水板の上方に配置され、複数の散水ノズルを有する散水パッキンと、
前記散水パッキンの上側に設けられた第１のパッキン押えと、
前記散水パッキンの下側に設けられ、前記第１のパッキン押えとともに前記散水パッキンを挟み込む第２のパッキン押えと、
前記散水パッキン、前記第１のパッキン押え、及び前記第２のパッキン押えを含む層構造の少なくとも一側を覆う被覆部材と、を備え、
前記被覆部材は、前記層構造の側方を全周的に覆う壁部と、該壁部に対して屈曲状に形成されたフランジ部と、を有する
ことを特徴とするシャワー装置。
【請求項２】
前記被覆部材は、前記第２のパッキン押えに下側から接触することで、前記被覆部材が前記第２のパッキン押えに対して相対的に上方に移動することを規制する抜け止め部を有することを特徴とする請求項１に記載のシャワー装置。
【請求項３】
前記第１のパッキン押えは、ステンレス鋼により構成されていることを特徴とする請求項１または請求項２に記載のシャワー装置。
【発明の詳細な説明】
【技術分野】
【０００１】
本発明は、使用者の頭上から吐水を行うことが可能なシャワー装置に関する。
【背景技術】
【０００２】
従来、シャワー装置として、例えば、壁面に沿って設けられるシャワー装置や、例えば特許文献１に開示されているような天井に埋設して利用されるシャワー装置が提案されている。また、シャワー装置としては、使用者の頭上から吐水を行うことが可能なオーバーヘッド型のシャワー装置がある。
【先行技術文献】
【特許文献】
【０００３】
【特許文献１】特開２０１６−０６７４９６号公報
【発明の概要】
【発明が解決しようとする課題】
【０００４】
特許文献１に開示されたシャワー装置のように、天井に埋め込まれて設置されるシャワー装置においては、その大部分が天井によって隠蔽されているため、天井によって隠蔽されている部分に対してデザイン性の配慮は不要であった。しかし、吐水部全体を露出して設置されるシャワー装置においては、吐水部のデザイン性を向上させる必要がある。
【０００５】
一例としては、デザイン性を向上させるため、例えば矩形板状等、全体的に板状の外形をなすように構成される吐水部について、その板厚が薄く見えるような工夫が施される。具体的には、シャワー装置の使用者等に対して吐水部が薄く見えソリッドな印象を与えられるように、吐水部の外観をなす板金部材について形状的な工夫が施される。しかしながら、吐水部の外観をなす板金部材の形状が複雑になると、板金部材の成形の難易度が高くなったり、板金部材にメッキが施される場合においてメッキの付着性が低下して外観品質が低下する部位が生じたりするという問題がある。
【０００６】
本発明は、このような問題点に鑑みてなされたものであり、デザイン性を向上することができるとともに、装置の外観をなす部材について良好な成形性及び高い外観品質を得ることができるシャワー装置を提供することを目的とする。
【課題を解決するための手段】
【０００７】
本発明に係るシャワー装置は、使用者の頭上から吐水を行うことが可能なシャワー装置であって、複数の散水孔が設けられた散水板と、前記散水板の上方に配置され、複数の散水ノズルを有する散水パッキンと、前記散水パッキンの上側に設けられた第１のパッキン押えと、前記散水パッキンの下側に設けられ、前記第１のパッキン押えとともに前記散水パッキンを挟み込む第２のパッキン押えと、前記散水パッキン、前記第１のパッキン押え、及び前記第２のパッキン押えを含む層構造の少なくとも一側を覆う被覆部材と、を備え、前記被覆部材は、前記層構造の側方を全周的に覆う壁部と、該壁部に対して屈曲状に形成されたフランジ部と、を有するものである。
【０００８】
このような構成のシャワー装置によれば、デザイン性を向上することができるとともに、装置の外観をなす板金部材について良好な成形性及び高い外観品質を得ることができる。
【０００９】
本発明に係るシャワー装置の他の態様は、前記シャワー装置において、前記被覆部材は、前記第２のパッキン押えに下側から接触することで、前記被覆部材が前記第２のパッキン押えに対して相対的に上方に移動することを規制する抜け止め部を有するものである。
【００１０】
このような構成のシャワー装置によれば、被覆部材を別途その他の部材に固定（例えば、ネジ固定）等をする必要が無く、組立性を向上させることができる。
【００１１】
本発明に係るシャワー装置の他の態様は、前記シャワー装置において、前記第１のパッキン押えは、ステンレス鋼により構成されているものである。
【００１２】
このような構成のシャワー装置によれば、シャワー装置の吐水部を薄くすることでき、吐水部を軽くすることができる。また、吐水部の薄さ、軽さを実現しつつ、被覆部材と第１のパッキン押えに施すメッキの品位を担保することができる。
【発明の効果】
【００１３】
本発明によれば、デザイン性を向上することができるとともに、吐水部の外観をなす板金部材について良好な成形性及び高い外観品質を得ることができる。
【図面の簡単な説明】
【００１４】
【図１】本発明の一実施形態に係るシャワー装置の外観構成例を示す斜視図である。
【図２】本発明の一実施形態に係るシャワー装置の上方斜視図である。
【図３】図２におけるＩ−Ｉ断面図である。
【図４】本発明の一実施形態に係る吐水部の分解斜視図である。
【図５】本発明の一実施形態に係るスペーサの上面図である。
【図６】本発明の一実施形態に係るスペーサの下面図である。
【図７】図５におけるＡ−Ｂ断面図である。
【図８】図５におけるＣ−Ｄ断面図である。
【図９】本発明の一実施形態に係る吐水部の周縁部の断面図である。
【図１０】本発明の一実施形態に係る吐水部の周縁部の断面図である。
【発明を実施するための形態】
【００１５】
本発明は、例えばオーバーヘッド型のシャワー装置のように、吐水部全体を露出させた構成において、吐水部の外観をなす部材の構成を工夫することにより、デザイン性を高めるとともに、吐水部の外観をなす部材についての成形上の問題を解消し、外観品質を向上させようとするものである。以下、本発明の実施の形態について図面を参照して説明する。
【００１６】
［シャワー装置の構成例］
図１は、本発明の実施形態に係るシャワー装置１００の外観構成例を左斜め前方から見た場合の斜視図である。また、図２は、本発明の一実施形態に係るシャワー装置１００の上側の外観構成例を示す斜視図である。
【００１７】
シャワー装置１００は、図１に示すように、吐水部２００と、操作部１１０と、吐水部２００を支持するとともに吐水部２００に対する給水路を構成する立上り支柱部１２０及び支持アーム部１３０とを備える。シャワー装置１００は、給水管（図示略）から供給される水と、給湯管（図示略）から供給される湯水とを混合して吐水部２００から吐出させる装置である。
【００１８】
操作部１１０は、図１に示すように、略箱形状に構成された操作本体部１１１と、操作本体部１１１の前側に設けられた前壁部１１４とを有する。操作本体部１１１の内部には、壁面Ｗに埋設された給水管、給湯管と連通接続された流路や、給水管から供給される水及び給湯管から供給される湯の流量の調整や流路を切り替えるための弁機構等が設けられている。操作本体部１１１の前側には、前壁部１１４を介して、温度調節や流量調節を行うための調節つまみ１１２と、複数の切替えスイッチ１１３が突設されている。調節つまみ１１２は、正面視略円形状に構成されており、調節つまみ１１２の回転操作により、給水管、給湯管から供給される水及び湯の混合比率及び吐水量がそれぞれ調節される。また、切替えスイッチ１１３は、正面視略円形状であり、正面視で調節つまみ１１２の左側に設けられている。切替えスイッチ１１３は、操作本体部１１１内の流路切替用の弁機構と連結されており、切替えスイッチ１１３の操作により、流路が開閉され、温度調節した水を任意の個所から吐出させることができる。なお、前壁部１１４は、操作本体部１１１の左側に延設されており、その前壁部１１４の延設部分と壁面Ｗとの間には、シャンプー等を置くための載置台部が設けられている。
【００１９】
立上り支柱部１２０は、操作本体部１１１から上方に向けて鉛直状に延設された断面略方形状の柱状の部分である。立上り支柱部１２０の内部には、操作部１１０で温度調節された湯水が流通するための給水路が複数収容されている。立上り支柱部１２０は、壁面Ｗに沿って立設され、壁面Ｗに対して所定の位置に固定された状態で設けられている。立上り支柱部１２０は、その内部の給水路を操作本体部１１１内の水路と連通接続させた状態で、下端部を操作本体部１１１に連結させ、上端部を支持アーム部１３０に連結させている。また、立上り支柱部１２０の内部を流通する湯水が流通する給水路は、操作部１１０に設けた切替えスイッチ１１３，１１３，１１３の操作によって切り替え制御される。
【００２０】
支持アーム部１３０は、立上り支柱部１２０の上端から前方に向けて水平状に延設された断面略方形状の部分であり、壁面Ｗに対して垂直方向に突設している。支持アーム部１３０の内部には、立上り支柱部１２０内の給水路に連通した給水路が収容されている。支持アーム部１３０の壁面Ｗ側下部は立上り支柱部１２０に支持されており、また、支持アーム部１３０の壁面Ｗ側端部はビスやネジ等の締結具を介して壁面Ｗに固定されている。また、支持アーム部１３０の先端部は吐水部２００に連結している。立上り支柱部１２０及び支持アーム部１３０により、吐水部２００に対する給水路として、立上り支柱部１２０及び支持アーム部１３０の外形に沿った「Ｌ」字状の給水路が構成されている。
【００２１】
吐水部２００は、給水路から供給される湯水を吐出するシャワーヘッドである。吐水部２００は、操作部１１０に対して、立上り支柱部１２０及び支持アーム部１３０により、使用者の頭上から吐水を行うことが可能な高さ位置に支持されており、オーバーヘッド型のシャワー装置１００を構成している。図３乃至図１０を参照して吐水部２００について詳細に説明する。
【００２２】
［吐水部の構成例］
吐水部２００は、図３及び図４に示すように、給水接続部２１０と、カバー２２０と、第１のパッキン押えとしての上側パッキン押え２３０と、散水パッキン２４０と、第２のパッキン押えとしての下側パッキン押え２５０と、散水板２６０と、スペーサ３００とを備える。
【００２３】
給水接続部２１０は、吐水部２００の上端部に配設されており、前述の支持アーム部１３０の先端に連結されている。給水接続部２１０は、その内部に、断面略円形状の２つの流水路を備えている。また、給水接続部２１０は、下側を開放側とした略立方体形状のカバー２２０で下部以外を覆われている。つまり、給水接続部２１０は、その下部を、カバー２２０の下側から下方に突出させている。また、給水接続部２１０の下部には上側パッキン押え２３０を配設している。
【００２４】
上側パッキン押え２３０は、スペーサ３００の上方に設けられるとともにスペーサ３００とは別体に平板状に構成されている。上側パッキン押え２３０は、略矩形平板状の部材であり、平面視略中央部に略円形の吐水口２３１を穿孔し、周縁部にネジ締結用の固定孔２３２、２３３を穿孔している。
【００２５】
散水パッキン２４０は、散水板２６０の上方に配置されており、複数の散水ノズル２４３を有する。散水パッキン２４０は、略平板状の部材であり、その一面に複数の散水ノズル２４３を垂設し、平面視略中央部に略円形の吐水口２４２を穿孔している。散水ノズル２４３は、略円錐形状の外形を有し、その内部に通水路を形成するとともに、先端部に液体が通過できるように散水孔２４１を有している。この散水ノズル２４３は後述の下側パッキン押え２５０に穿孔した開口部２５１及び散水板２６０に穿孔した開口部２６１に挿通している。また、散水パッキン２４０の上部には、水の流れを制御するための突起部２４４を設けている。また、散水パッキン２４０の周縁部は、突起部２４４と略同等の高さに立ち上げた壁部２４５を設けている。壁部２４５の外方には前述の上側パッキン押え２３０の周縁部に穿孔した固定孔２３２、２３３と相対する位置に係合用の雌ネジ部２４６、２４７を螺設している。
【００２６】
このように散水パッキン２４０を構成することで、上側パッキン押え２３０の上方から固定孔２３２に固定用ネジ２３４を挿通し、散水パッキン２４０の雌ネジ部２４６に固定用ネジ２３４を螺合することで上側パッキン押え２３０と散水パッキン２４０とを一体に構成できる。この際、上側パッキン押え２３０は、散水パッキン２４０に対して、散水パッキン２４０の上面から突出した突起部２４４及び壁部２４５に接触しており、上側パッキン押え２３０と散水パッキン２４０との間に通水用の空間が形成されている。
この通水空間を形成することで、散水パッキン２４０に設けた散水孔２４１に均等に湯水が行き渡り、散水ノズル２４３から吐出する水を均等に吐出できる。
【００２７】
この散水パッキン２４０の下部には下側パッキン押え２５０を配設している。この下側パッキン押え２５０は、略矩形平板状の部材であり、その一面に複数の開口部２５１を穿孔し、平面視略中央部に円形の吐水口２５２を穿孔している。また、下側パッキン押え２５０の周縁部にはネジ固定用の雌ネジ部２５３を穿孔している。
【００２８】
このように下側パッキン押え２５０を構成することで、上側パッキン押え２３０の固定孔２３２に上方から挿通した固定用ネジ２３４が散水パッキン２４０の４隅から延設した雌ネジ部２４７を介して下側パッキン押え２５０の雌ネジ部２５３に螺合できる。その結果、上下のパッキン押え２３０、２５０で散水パッキン２４０を挟持することで形成された通水空間を介して散水パッキン２４０に設けた散水ノズル２４３から均等に湯水を吐出できる。このように、本実施形態の吐水部２００は、散水パッキン２４０の上側に設けられた上側パッキン押え２３０と、散水パッキン２４０の下側に設けられ、上側パッキン押え２３０とともに散水パッキン２４０を挟み込む下側パッキン押え２５０とを有する。
【００２９】
なお、上下のパッキン押え２３０、２５０は耐圧性と耐腐食性を備えていればどのような素材でもよく、例えば、金属製（例えば、ステンレス鋼（ＳＵＳ））の部材で構成されていてもよい。本実施形態では、特に、上側パッキン押え２３０は、ＳＵＳにより構成されている。
ここで、仮に、上側パッキン押え２３０が黄銅で構成される場合を想定する。この場合、上側パッキン押え２３０は黄銅で構成しているため耐腐食性に関しては問題ないものの、耐圧性が低いため所定の強度を得るためには一定の厚みを必要とし、薄型化が困難となる。これに対して、上側パッキン押え２３０がステンレス鋼（ＳＵＳ）で構成されている場合、耐腐食性を確保しながらも黄銅よりも剛性が高いため上側パッキン押え２３０を肉薄にできる。その結果、吐水部２００を構成する部材を薄くでき軽量化を図ることができる。
【００３０】
また、下側パッキン押え２５０の下部には、複数の開口部２６１が設けられた散水板２６０を配設している。散水板２６０は、一面に複数の開口部２６１を等間隔に穿孔しており、平面視略中央部に吐水口２６２を設けている。また、散水板２６０の各辺２６３、２６３、２６３、２６３は、上方に折曲して壁部２６４、２６４、２６４、２６４を構成している。また、散水板２６０の４隅近傍には略円筒形状のネジ受け部２６５、２６６、２６７、２６８を上方に向けて突設している。なお、開口部２６１と吐水口２６２は別々に吐水できるように流路が分離しており、前述の操作部１１０の切替えスイッチ１１３、１１３、１１３を操作することで使用者の利用形態に応じて開口部２６１、または吐水口２６２のいずれから吐出するかを選択できる。
【００３１】
このように散水板２６０を構成することで、上側パッキン押え２３０と、散水パッキン２４０と、下側パッキン押え２５０と、散水板２６０とを固定用ネジ２３５で一体に構成できる。
また、散水板２６０のネジ受け部２６５、２６６、２６７、２６８を囲うようにスペーサ３００を散水板２６０の上部に載置している。
【００３２】
［スペーサの構成例］
図５は、本発明の一実施形態に係るスペーサ３００の外観構成例を示す上面図である。また、図６は、本発明の一実施形態に係るスペーサ３００の外観構成例を示す下面図である。また、図７は、本発明の一実施形態に係るスペーサ３００の構成例を示す図５に示すＡ−Ｂ断面図である。また、図８は、本発明の一実施形態に係るスペーサ３００の構成例を示す図５に示すＣ−Ｄ断面図である。
【００３３】
図９、図１０は、本発明の一実施形態に係る吐水部２００の構成例を示す断面図である。なお、図９には、ネジ２７１、ワッシャー２７２、ネジ２８１を通る断面を示す。また、図１０には、抜け止め部３３４、散水ノズル２４３を通る断面を示す。
【００３４】
スペーサ３００は、散水パッキン２４０、上側パッキン押え２３０、及び下側パッキン押え２５０を含む層構造の少なくとも一側を覆う被覆部材である。本実施形態では、上側パッキン押え２３０、散水パッキン２４０、及び下側パッキン押え２５０を含む層構造（以下「パッキン層構造」という。）は、平面視で矩形状をなすように構成されており、スペーサ３００は、パッキン層構造をその四方の側方から覆うように構成されている。
【００３５】
スペーサ３００は、パッキン層構造の側方を全周的に覆う壁部３１０と、壁部３１０に対して屈曲状に形成されたフランジ部３２０とを有し、これらの部分によって全体的に枠状に構成されている。また、スペーサ３００は、抜け止め部３３０を有する。壁部３１０は、散水板２６０の上部に載置した際に上側パッキン押え２３０と、散水パッキン２４０と、下側パッキン押え２５０とを重ね合わせた際の高さ、つまりパッキン層構造の厚さと略同一の高さとなるように構成している。このように壁部３１０を構成することで、壁部３１０は、上側パッキン押え２３０と、散水パッキン２４０と、下側パッキン押え２５０の周縁を囲い、散水板２６０の開口部２６１、または吐水口２６２以外から湯水が漏れる虞を低減している。
【００３６】
フランジ部３２０は、壁部３１０の基端部（下端部）から壁部３１０に対して直角状にスペーサ３００の外方に向けて水平方向に延設されている。このように、スペーサ３００においては、壁部３１０とフランジ部３２０とにより、略「Ｌ」字状の断面形状をなす矩形枠状の部分が構成されている。したがって、スペーサ３００は、側面視において偏平な略ハット形状に沿う外形を有する。フランジ部３２０は、スペーサ３００において矩形状の平面視外形をなす部分であり、スペーサ３００は、その平面視外形の形状・大きさを、散水板２６０の周縁部から立ち上げた壁部２６４の内周面により形成される平面視の形状・大きさと略同等としている。これにより、散水板２６０に対してスペーサ３００が上側から嵌合した状態となる。また、フランジ部３２０の上面は散水板２６０の壁部２６４の上端面と略同一平面となるように構成している。また、フランジ部３２０の下部には抜け止め部３３０を配設している。
【００３７】
抜け止め部３３０は、下側パッキン押え２５０に下側から接触することで、スペーサ３００が下側パッキン押え２５０に対して相対的に上方に移動することを規制する。つまり、抜け止め部３３０は、下側パッキン押え２５０と干渉することで、パッキン層構造に対してスペーサ３００が相対的に上方に抜けることを防止するための部分である。抜け止め部３３０は、一端部をフランジ部３２０の下面に固定し、他端部をスペーサ３００の内方に向けて延設している。抜け止め部３３０の先端部の形状は２種類ある。１つ目は平面視略平板状の支持部３３１であり、２つ目は先端部を略半円弧状に切り欠いた位置固定部３３２である。
【００３８】
支持部３３１を先端形状とする抜け止め部３３０は、スペーサ３００の長辺３２１、３２１のフランジ部３２０に配設しており、スペーサ３００の内方に向けて側面視略クランク形状に構成している。支持部３３１の上面は下側パッキン押え２５０の下面に接触している。
【００３９】
位置固定部３３２を先端形状とする抜け止め部３３０は、スペーサ３００の短辺３２２、３２２のフランジ部３２０に配設しており、スペーサ３００の内方に向けて略平板状に構成している。位置固定部３３２の略半円弧状の切り欠け部は散水板２６０の４隅部近傍に立設したネジ受け部２６５、２６６、２６７、２６８の周面に係合固定している。
【００４０】
このようにスペーサ３００を構成することで、フランジ部３２０の側端部が散水板２６０の壁部２６４と接触するとともに、散水板２６０のネジ受け部２６５、２６６、２６７、２６８と位置固定部３３２の半円弧状の切り欠け部とが係合固定されることでスペーサ３００の水平方向への移動を規制できる。
【００４１】
また、スペーサ３００は、抜け止め部３３０をフランジ部３２０の下面に配設することで抜け止め部３３０の下面と散水板２６０が接触してスペーサ３００の下方向への移動を規制するとともに、抜け止め部３３０の支持部３３１の上面が下側パッキン押え２５０の下面と接触する構成とすることでスペーサ３００の上方向への移動を規制できる。
【００４２】
このようにスペーサ３００は、ネジやビスなどで固定することなく位置固定できるため、単に所定の位置に載置するという簡易的な構成で組み上げることができ、組立性を向上できる。
また、スペーサ３００は、耐腐食性と剛性が高い材質で構成されていればよく、例えば、金属製（例えば、ステンレス鋼（ＳＵＳ））の部材で構成できる。
【００４３】
［吐水装置の組み立て例］
上述のように構成された吐水部２００の組立て手順について説明する。
最初に、給水接続部２１０、上側パッキン押え２３０、散水パッキン２４０、下側パッキン押え２５０等の部品の組み立てを行う。具体的には、上側パッキン押え２３０に給水接続部２１０をネジで固定する。そして、上側パッキン押え２３０、散水パッキン２４０、下側パッキン押え２５０のそれぞれを複数の固定用ネジ２３４と、複数のワッシャー２３６とで一体となるように固定する。
【００４４】
次に、散水板２６０の上にスペーサ３００を配置する。例えば、図９、図１０に示すように、散水板２６０の壁部２６４の内側に、スペーサ３００のフランジ部３２０の端部が収まるように、スペーサ３００が配置される。この際、抜け止め部３３０の位置固定部３３２の略半円弧状の切り欠け部の円弧内周面が散水板２６０のネジ受け部２６５、２６６、２６７、２６８の周面と係合するように挿入する。
【００４５】
次に、最初に組み立てた部品群（給水接続部２１０、上側パッキン押え２３０、散水パッキン２４０、下側パッキン押え２５０）と、上側にスペーサ３００を配置した散水板２６０とを重ね、これらの四隅近傍において、固定用ネジ２３５をネジ受け部２６５乃至２６８にねじ込んで固定する（図９参照）。この場合に、スペーサ３００の抜け止め部３３０の支持部３３１の上面は、下側パッキン押え２５０の下面と接触するように配置する。
吐水部２００はこのような手順で容易に組み立てることができる。
【００４６】
ここで、吐水部２００を薄く見せるために上側パッキン押え２３０とスペーサ３００を一体に成形する場合を考える。この場合、上側パッキン押え２３０とスペーサ３００とは、断面視略ハット形状となり、例えば絞り成形等による成形時に上側パッキン押え２３０の略中央側に引っ張り荷重が生起してゆがむ可能性があり、実現することが難しい。
また、このような部材をステンレス鋼（ＳＵＳ）などの金属で構成して一体成形する場合には、形状が複雑であり成形の難易度が高く製造コストが増加する虞がある。
【００４７】
このように、全体が露出するシャワー装置において吐水部の薄さを実現するために一体成形しようとすると、成形時に制約を生じる。また、そのような制約の中で、吐水装置の側面（横）の目隠し部分（壁部３１０に相当する部分）と、天井側の目隠し部分（上側パッキン押え２３０に相当する部分）とを一体で成型すると、これらの境界部分である角部のＲ形状がメッキする際にメッキ品質を担保することが困難となる。
【００４８】
これに対して、本実施形態では、スペーサ３００と上側パッキン押え２３０とを別体として構成している。すなわち、吐水部２００の上側部分には、略平板状の上側パッキン押え２３０を配置し、吐水部２００の側面部分には、断面視でＬ字状に構成したスペーサ３００の壁部３１０を配置する。このように、スペーサ３００と上側パッキン押え２３０とを別体とすることにより、各部にメッキし易く、スペーサ３００および上側パッキン押え２３０に施すメッキの品位低下を抑制することができる。
【００４９】
また、本実施形態では、箱のような形状の吐水部２００において、箱形状の縁から断面視略板状のフランジが延設した形態としている。これにより、使用者が下側から吐水部２００を見上げた場合に、吐水部２００が薄く見えるためデザイン性を向上できる。
【００５０】
このように、本実施形態では、箱のような形状の吐水部２００において、フランジ部３２０を設けるとともに、上側パッキン押え２３０、散水パッキン２４０、下側パッキン押え２５０の周囲を断面Ｌ型のスペーサ部材のスペーサ３００を設けることで吐水部２００の端部を薄くしてデザイン性を向上できる。
【００５１】
また、上側パッキン押え２３０及びスペーサ３００を一体の板金部材によって構成しようとした場合、形状が複雑となるため、板金部材の成形の難易度が高くなったり、板金部材にメッキが施される場合においてメッキの付着性が低下して外観品質（メッキ品質）が低下する部位が生じたりするという問題がある。この点、本実施形態に係るシャワー装置１００の吐水部２００によれば、上側パッキン押え２３０とスペーサ３００とを別体として構成していることから、吐水部２００の外周側の端部を薄くしてデザイン性を向上することができるとともに、装置の外観をなす部材について良好な成形性及び高い外観品質を得ることができる。
【００５２】
なお、本実施形態では、壁面Ｗに沿うように設けられた立上り支柱部１２０と壁面Ｗに対して垂直状に突出した支持アーム部１３０によって吐水部２００を支持したシャワー装置１００を例にして説明したが、このような構成に限定されるものではない。本発明は、シャワー装置の吐水部全体を露出させた態様の構成であれば適用可能である。したがって、例えば、吐水部を支持する部分の大部分を壁の向こう側のスペースに設け、吐水部のみを壁から突出させた構成等であってもよい。
【００５３】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００５４】
１００  シャワー装置
２００  吐水部
２１０  給水接続部
２２０  カバー
２３０  上側パッキン押え（第１のパッキン押え）
２３１  散水孔
２３２  吐水口
２３３  壁部
２３４〜２３７  ネジ受け部
２４０  散水パッキン
２４１  散水孔
２５０  下側パッキン押え（第２のパッキン押え）
２５１  散水ノズル
２５２  突起部
２５３  壁部
２６０  散水板
２７１  ネジ
２７２  ワッシャー
３００  スペーサ（被覆部材）
３０１  折曲がり部
３１０  フランジ部
３２０  壁部
３３１〜３３８  抜け止め部
【図１】
2020137805.tif 000003
【図２】
2020137805.tif 000004
【図３】
2020137805.tif 000005
【図４】
2020137805.tif 000006
【図５】
2020137805.tif 000007
【図６】
2020137805.tif 000008
【図７】
2020137805.tif 000009
【図８】
2020137805.tif 000010
【図９】
2020137805.tif 000011
【図１０】
2020137805.tif 000012